(57)【要約】【課題】  ユーザがディスプレイ上で三者通話サービスの把握が容易であり、しかも通話モードの変更が容易な携帯電話装置を提供すること。【解決手段】  ディスプレイ４２を具備し、このディスプレイ４２上に各種の通話情報を表示可能な携帯電話装置において、接続先を示す接続話者識別情報を記憶している接続話者識別情報記憶手段と、２人以上の相手と接続状態にある場合に、接続話者識別情報記憶手段に記憶されている接続話者識別情報であって、当該接続状態である各接続先を示す全員分の接続話者識別情報５０，５２をディスプレイ４２上に表示し、接続状態にある接続話者との接続が非接続になると、該非接続となった接続話者を示す接続話者識別情報５２をディスプレイ４２より消去する接続話者表示手段と、を具備する携帯電話装置とする。【選択図】図５
2006157966.tif 000002
【特許請求の範囲】
【請求項１】
ディスプレイを具備し、このディスプレイ上に各種の通話情報を表示可能な携帯電話装置において、
接続先を示す接続話者識別情報を記憶している接続話者識別情報記憶手段と、
２人以上の相手と接続状態にある場合に、上記接続話者識別情報記憶手段に記憶されている接続話者識別情報であって、当該接続状態である各接続先を示す全員分の上記接続話者識別情報を上記ディスプレイ上に表示し、上記接続状態にある接続話者との接続が非接続になると、該非接続となった接続話者を示す接続話者識別情報を上記ディスプレイより消去する接続話者表示手段と、
を具備することを特徴とする携帯電話装置。
【請求項２】
ディスプレイを具備し、このディスプレイ上に各種の通話情報を表示可能な携帯電話装置において、
接続先を示す接続話者識別情報を記憶している接続話者識別情報記憶手段と、
２人以上の相手と接続状態にある場合に、上記接続話者識別情報記憶手段に記憶されている接続話者識別情報であって、当該接続状態である各接続先を示す全員分の上記接続話者識別情報を上記ディスプレイ上に表示し、通話中の接続相手に相当する上記接続話者識別情報から吹き出しが吹き出されるように表示する表示手段と、
を具備することを特徴とする携帯電話装置。
【請求項３】
ディスプレイを具備し、このディスプレイ上に各種の通話情報を表示可能な携帯電話装置において、
接続先を示す接続話者識別情報を記憶している接続話者識別情報記憶手段と、
２人以上の相手と接続状態にある場合に、上記接続話者識別情報記憶手段に記憶されている接続話者識別情報であって、当該接続状態である各接続先を示す全員分の上記接続話者識別情報を上記ディスプレイ上に表示し、上記接続相手と通話中に他からさらに通話接続要求が来た場合において、接続状態となると、相当する接続話者識別情報を表示する表示手段と、
を具備することを特徴とする携帯電話装置。
【発明の詳細な説明】
【技術分野】
【０００１】
本発明は、三者通話サービスや切替通話サービスを行うことができる携帯電話装置に関する。
【背景技術】
【０００２】
現在、携帯電話事業者によって提供されるサービスとして、三者通話サービス（マルチパーティ）と呼ばれる同時通話サービスがある。これは、図１０R>０に示すように、接続状態にある話者全員と音声通話が可能なサービスであり、現状では自分を含めて３人まで同時に通話が可能である。
【０００３】
また、三者通話サービスと類似のサービスとしては、切替通話サービスがある。切替通話サービスは、図１１に示すように、複数の話者と接続状態（現状は２人まで）にあるが、通話状態にある話者は自分以外には１人である。そのため、他の話者は接続状態ではあるが保留状態となる。通話対象者を切り替える場合、それまで通話中にあった話者を保留状態にする必要がある。
【０００４】
ここで、通話中において切替通話で通話対象者を切り替えたり、切替通話とマルチパーティの通話モード間でのモード変更を行うことが可能なようにする場合、その方法の一つとして、キー操作によりメニュー画面を呼び出すものがある。これは、該メニュー画面の表示項目から、次に通話を開始する話者、マルチパーティの開始や切替通話の開始、といった項目を選択するものが考えられる。
【０００５】
上述したような、メニュー画面を利用して通話対象者を切り替える方法では、メニュー画面を見てようやく保留状態者等が判明するため、少ない人数に制限されている現状がある。すなわち、携帯電話事業者が１台の携帯電話に接続可能な話者数を２人までに制限している現状でしか効果を発揮できない。しかしながら、携帯電話事業者が１台の携帯電話に接続可能な話者数を現状以上の人数とするＷ−ＣＤＭＡ（Wide band-Code Division Multiple Access）を用いる次世代携帯電話機ＩＭＴ−２０００（International Mobile Telecommunication-2000）のように、仕様を変更した場合には、メニュー画面を利用して通話対象者を切り替える方法では、表示画面がメニュー画面に切り替わるまで、ユーザは一体何人の話者を保留状態にしているのか、或いは誰を保留状態としているかを認識することが困難である。
【０００６】
これは保留中の話者が多ければ多い程、ユーザが接続状況を把握しきれなくなる可能性が高くなる。また、話者選択のため、或いは通話モード変更のために表示画面を切り替える場合には、接続話者数が増えることによりメニューリストが複雑化する。このため、操作に慣れるまでの間は、ユーザが該操作を理解・把握しきれずに、混乱する可能性がある。
【０００７】
なお、現状の三者通話サービスや切替通話サービスにおいても、その両者の切り替え状態が把握しずらいものとなっていると共に、三者通話の場合、二者から三者へ移行する場合、誰が新たに加わったかの把握に混乱を来たす場合がある。
【発明の開示】
【発明が解決しようとする課題】
【０００８】
このようなことから、ユーザが何人の話者と現在接続状態にあるのか、又誰と接続状態にあるのかを容易に認識でき、通話対象者の切り替えや切替通話とマルチパーティの通話モード変更を容易に行えるように、視覚的に明瞭で、操作がシンプルなユーザインターフェースの開発を行う必要がある。
【０００９】
本発明は、上記の事情に基づきなされたもので、その目的とするところは、ユーザがディスプレイ上で三者通話サービスや切替通話サービス等の把握が容易であり、しかも通話モードの変更が容易な携帯電話装置を提供することにある。
【課題を解決するための手段】
【００１０】
上述の目的を達成するため、本発明は、ディスプレイを具備し、このディスプレイ上に各種の通話情報を表示可能な携帯電話装置において、接続先を示す接続話者識別情報を記憶している接続話者識別情報記憶手段と、２人以上の相手と接続状態にある場合に、接続話者識別情報記憶手段に記憶されている接続話者識別情報であって、当該接続状態である各接続先を示す全員分の接続話者識別情報をディスプレイ上に表示し、接続状態にある接続話者との接続が非接続になると、該非接続となった接続話者を示す接続話者識別情報をディスプレイより消去する接続話者表示手段とを具備するものとしている。
【００１１】
また、他の発明は、ディスプレイを具備し、このディスプレイ上に各種の通話情報を表示可能な携帯電話装置において、接続先を示す接続話者識別情報を記憶している接続話者識別情報記憶手段と、２人以上の相手と接続状態にある場合に、接続話者識別情報記憶手段に記憶されている接続話者識別情報であって、当該接続状態である各接続先を示す全員分の接続話者識別情報をディスプレイ上に表示し、通話中の接続相手に相当する接続話者識別情報から吹き出しが吹き出されるように表示する表示手段とを具備するものとしている。
【００１２】
また、他の発明は、ディスプレイを具備し、このディスプレイ上に各種の通話情報を表示可能な携帯電話装置において、接続先を示す接続話者識別情報を記憶している接続話者識別情報記憶手段と、２人以上の相手と接続状態にある場合に、接続話者識別情報記憶手段に記憶されている接続話者識別情報であって、当該接続状態である各接続先を示す全員分の接続話者識別情報をディスプレイ上に表示し、接続相手と通話中に他からさらに通話接続要求が来た場合において、接続状態となると、相当する接続話者識別情報を表示する表示手段とを具備するものとしている。
【００１３】
なお、本発明は、次のような構成としても良い。ここでは、識別情報の下位概念であるアイコンおよび記憶手段の下位概念であるデータベースという文言を用いて説明する。すなわち、ディスプレイを具備し、このディスプレイ上に各種の通話情報を表示可能な携帯電話装置において、接続先を示す接続話者アイコンを記憶している接続話者アイコンデータベースと、１人以上の相手又は２人以上の相手と接続状態にある場合に、接続話者アイコンデータベースに記憶されている接続話者アイコンであって、当該接続状態である各接続先を示す接続話者アイコンをディスプレイ上に表示させる接続話者アイコン表示手段と、接続話者アイコン表示手段により表示された接続話者アイコンのうち、いずれかの接続話者アイコンを選択する接続話者アイコン選択手段と、接続話者アイコン選択手段で選択された接続相手への切り替えを行う接続話者切替手段とを具備する携帯電話装置としても良い。
【００１４】
また、ディスプレイを具備し、このディスプレイ上に各種の通話情報を表示可能な携帯電話装置において、２人以上の相手と接続状態にある場合に、ユーザが切替通話モードと同時通話モードとの通話モード変更を行うための通話モード変更アイコンを記憶しているモード変更アイコンデータベースと、モード変更アイコンデータベースに記憶されている通話モード変更アイコンを、２人以上の相手と接続状態にある場合にその状態を検出してディスプレイ上に表示させるモード変更アイコン表示手段と、モード変更アイコン表示手段により表示された通話モード変更アイコンを、選択するモード変更アイコン選択手段と、モード変更アイコン選択手段で選択された通話モードへの切り替えを行う通話モード切替手段と、を具備しても良い。
【００１５】
さらに、ディスプレイを具備し、このディスプレイ上に各種の通話情報を表示可能な携帯電話装置において、接続先を示す接続話者アイコンを記憶している接続話者アイコンデータベースと、１人以上の相手又は２人以上の相手と接続状態にある場合に、接続話者アイコンデータベースに記憶されている接続話者アイコンであって、当該接続状態である各接続先を示す接続話者アイコンをディスプレイ上に表示させる接続話者アイコン表示手段と、を具備しても良い。
【００１６】
また、ディスプレイを具備し、このディスプレイ上に各種の通話情報を表示可能な携帯電話装置において、複数話者との切替通話が可能な状態となっている場合に接続状態にある接続先を示す接続話者アイコンを通話中ディスプレイ上に整列して表示させる接続話者アイコン表示手段を有するものとしても良い。
【００１７】
さらに、上述した発明に加えて更に、２人以上の相手と接続状態にある場合に、ユーザが切替通話モードと同時通話モードとの通話モード変更を行うための通話モード変更アイコンを記憶しているモード変更アイコンデータベースと、モード変更アイコンデータベースに記憶されている通話モード変更アイコンを、２人以上の相手と接続状態にある場合にその状態を検出してディスプレイ上に表示させるモード変更アイコン表示手段と、モード変更アイコン表示手段により表示された通話モード変更アイコンを、選択するモード変更アイコン選択手段と、モード変更アイコン選択手段で選択された通話モードへの切り替えを行う通話モード切替手段と、を具備するようにしても良い。
【００１８】
また、上述した各発明に加えて更に、接続話者アイコン選択手段は、モード変更アイコン選択手段と兼用されるものであっても良い。
【００１９】
さらに、上述した各発明に加えて、接続話者アイコンデータベースは、電話帳機能に登録される各人の名前及び電話番号に対応させて登録されるものであっても良い。
【００２０】
また、上述した各発明に加えて、接続話者切替手段は、接続話者アイコン選択手段が一度特定の接続話者アイコンを選択してから所定の時間経過した時に再び同じ接続話者アイコンを選択している場合に接続話者の切り替えを行うものであっても良い。
【００２１】
さらに、上述の各発明に加えて、通話モード切替手段は、モード変更アイコン選択手段が通話モード変更アイコンに位置してから所定の時間経過した時に再び通話モード変更アイコンを選択している場合に通話モードの切り替えを行うものであっても良い。
【００２２】
また、接続話者アイコンを接続話者アイコン選択手段で選択したときは、話者ごとの状態（通話／保留）を表示するようにしても良い。
【００２３】
さらに、上述の発明に加えて、接続話者アイコンを接続話者アイコン選択手段で選択したときは、話者ごとの通話時間表示をするようにしても良い。
【００２４】
また、複数話者との切替通話モードの際に、通話対象者を切り替えるために携帯電話装置のディスプレイ通話対象者を表示する通話対象者方法において、接続状態となった場合には呼び出し状態の際に接続先を示す接続話者アイコンを記憶している接続話者アイコンデータベースから当該接続先又は呼び出し先に対応する上記接続話者アイコンを検索する検索工程と、検索工程で接続話者アイコンが検索されて抽出されたときに、この接続話者アイコンをディスプレイ上に表示する表示工程と、接続を継続する間中、検索された接続話者アイコンをディスプレイに表示する表示継続工程と、を具備するようにしても良い。
【００２５】
さらに、複数話者との同時通話が可能となる同時通話モードの際に、通話対象者を表示する通話対象者表示方法において、接続状態となった場合には呼び出し状態の際に接続先を示す接続話者アイコンを記憶している接続話者アイコンデータベースから当該接続先又は呼び出し先に対応する接続話者アイコンを検索する検索工程と、検索工程で接続話者アイコンが検索されて抽出されたときに、この接続話者アイコンをディスプレイ上に表示する表示工程と、接続を継続する間中、検索された接続話者アイコンをディスプレイに表示する表示継続工程と、を具備するようにしても良い。
【００２６】
また、上述の発明に加えて更に、表示された複数の接続話者アイコンを選択する選択工程と、選択された接続話者アイコンに対応する接続先を通話可能とする接続話者切替工程とを具備するようにしても良い。
【００２７】
さらに、上述の各発明に加えて、複数話者との同時通話が可能となる同時通話モードを示す通話モード変更アイコンを、この同時通話モードへの切り替えが可能となる状態となったときにディスプレイ上に表示する表示工程と、接続話者アイコンとこの通話モード変更アイコンとを択一的に選択することで、切替通話モードと同時通話モードとを切り替える切替工程と、を具備するようにしても良い。
【００２８】
また、上述の各発明に加えて更に、接続話者アイコンを選択工程で選択したときは、話者ごとの通話時間表示をするようにしても良い。
【発明の効果】
【００２９】
本発明によれば、接続話者識別情報がディスプレイで表示されるので、現在通話中の相手を、ディスプレイを見るだけで容易に確認することが可能となる。しかも、現在接続状態にある相手がディスプレイ上に表示され、さらに接続話者識別情報がディスプレイ上に表示されるため、ユーザは接続話者が誰であるか等の認識を、即座に行うことが可能となる。
【発明を実施するための最良の形態】
【００３０】
以下、本発明の一実施の形態について、図１から図９に基づいて説明する。図１は、本発明の携帯電話装置１０の構成を示す概略図である。この図において、携帯電話装置１０は、ユーザが各種操作を行う操作パネル１１を有している。この操作パネル１１は、ユーザが通話相手の電話番号を入力するテンキー１２を有している。このテンキー１２を操作してユーザが電話番号の入力を行い発信すると、ＣＰＵ２０での処理により、Ｗ−ＣＤＭＡ処理回路２１、送受信回路２２及びアンテナ３２を介して発呼が行われる。そして、該携帯電話装置１０の周辺に位置しているいずれかの基地局（不図示）と通信プロトコルを確立する。
【００３１】
なお、図２（ａ）に示すように、操作パネル１１には、テンキー１２以外にも通話キー１３や、電話帳機能を呼び出すための機能ボタン１４や、特に図示しないが終話キーや方向ボタンや決定ボタン等が設けられている。
【００３２】
また、相手先から着呼があると、ＣＰＵ２０は電子音発生回路２４を駆動し、スピーカ２５から着信音を発生させる。また、振動モードに設定している場合には、ＣＰＵ２０が振動パターン制御回路２６に信号を出して、振動モータ２７を制御駆動させて、振動を発生させる。そして、ユーザが通話キー１３を押すと、ＣＰＵ２０は周辺のいずれかの基地局と通信プロトコルを確立する。このようにして、相手方との通話が可能になる。
【００３３】
また、相手方との通話が可能になった状態において、ユーザがマイク３１から入力した音声信号は、音声処理回路３０及びＷ−ＣＤＭＡ処理回路２１で所定の処理が為される。ここから出力された音声信号は、モデム２３で変調され、変調信号が送受信回路２２を介して、アンテナ３２に与えられる。この結果、音声信号が通信プロトコルを確立した基地局に送信される。
【００３４】
また、通話相手の音声信号は、同じ基地局から出力され、アンテナ３２によって捉えられる。捉えられた音声信号は、送受信回路２２に与えられる。そして、送受信回路２２の出力がモデム２３によって復調される。復調信号は、Ｗ−ＣＤＭＡ処理回路２１及び音声処理回路３０を介してスピーカ３５に与えられる。このようにして、通信相手の音声が聞き取れる。
【００３５】
ここで、ＣＰＵ２０にはＲＡＭ４０やＲＯＭ４３が接続されている。このうち、ＲＯＭ４３は、描画回路４１を介してディスプレイ４２上に表示させる壁紙等を記憶し、また、携帯電装置１０を操作させるためのＯＳ等のプログラムを記憶しているものである。また、ＲＯＭ４３にはディスプレイ４２上で表示させる、各種の接続話者アイコン５０が記憶されている。接続話者アイコン５０は、例えば図２（ｂ）に示すようなものがある。この接続話者アイコン５０は、予めＲＯＭ４３に記憶されているものを用いても良いが、ユーザがデジタルカメラで撮影した画像、或いはユーザがインターネット等で取り込んだ画像を用いても構わない。
【００３６】
ここで、ＲＡＭ４０内への接続話者アイコン５０の記憶例を、図３に示す。この図に示すように、例えば接続話者アイコン５０の記憶例には、電話帳機能の内部に、表形式で記憶されるものがある。表形式に記憶される項目としては、何番目の列に登録されているかを示すＮｏ．や、名前、電話番号、メールアドレスと共に、接続話者アイコン５０を示すアイコンの項目がある。これらの各項目が夫々の行毎に分類され、また、１つのＮｏ．には夫々１つずつの名前や電話番号、メールアドレス、接続話者アイコン５０の行が設けられている。このようにして、接続話者アイコンデータベースが構成されている。
【００３７】
なお、接続話者アイコン５０は、全て異なるものとせず、他の列に登録されたものと同じものを用いても差し支えない。また、電話帳に接続話者アイコン５０が未登録な相手と通信プロトコルを確立している場合を考慮して、電話帳未登録者用アイコンを設けても良い。さらに、相手が公衆電話から通話している場合も考慮して、公衆電話用アイコンを設けても良い。
【００３８】
さらに、アイコンは、電話帳に対応づけなくても、単に「第１話者」、「第２話者」、「第３話者」等が分かるように示した図形とし、電話帳とは別にＲＡＭ４０若しくはＲＯＭ４３に記憶しておいて、接続話者毎に通話開始順に応じて用いるようにしても良い。
【００３９】
接続話者アイコン５０は、図２（ｂ）に示すように、１人以上の通話相手と通信プロトコルが確立されている場合に、全員分の接続話者アイコン５０がディスプレイ４２上に表示される。そして、通話中の相手の接続話者アイコン５０は、例えば拡大表示されたり、或いは反転表示される等の表示が為される。それによって、ディスプレイ４２上に並列された接続話者アイコン５０のうち、現在通話中の相手と、それ以外の保留中の相手とを容易に区別することを可能としている。
【００４０】
ここで、接続話者アイコン５０は、１人以上の通話相手と通信プロトコルが確立されている場合には、接続話者アイコン表示手段としての表示プログラムが起動されて自動的にディスプレイ４２上に表示される。この表示プログラムでは、一般的には最初に通信プロトコルが確立された順番から、例えばディスプレイ４２の左隅に並べて表示するようにしている。
【００４１】
しかしながら、電話帳へ登録されている際のＮｏ．順に左隅に並べて表示するようにしたり、ディスプレイ４２の上部等、他の位置に表示させるようにする等、種々変更可能である。なお、この表示プログラムはＲＯＭ４３内に記憶されているが、起動された場合にはＲＡＭ４０内に存する状態となる。また、接続話者表示アイコン５０も、表示に当たってはＲＯＭ４３からＲＡＭ４０に引き出される。
【００４２】
ここで、他者への話者の切り替えを行う場合、この実施の形態では、図２（ｂ）に示すような、接続話者アイコン選択手段としての選択枠５１を用いる。選択枠５１は、例えば特に図示しない方向ボタンの操作によって接続話者アイコン５０間を移動可能としており、そのまま決定ボタンを押せば、選択枠５１が現在位置している接続話者アイコン５０によって表示されている相手に通話が切り替えられる。
【００４３】
なお、選択枠５１は、接続話者アイコン選択手段としての機能のみならず、モード変更アイコン選択手段としての機能をも有している。この選択枠５１を所定の接続話者アイコン５０上、又は後述する通話モード変更アイコンとしてのマルチパーティ化アイコン５２上に移動させ、操作キー１１に存する図示しない決定ボタン等でクリックすることにより、通話相手の切り替えが為されたり、切替通話モードからマルチパーティモードへの通話モードの変更が為される。すなわち、選択枠５１及び決定ボタン等は、接続話者切替手段、及び通話モード切替手段としての機能を果たしている。
【００４４】
また、他者との通話において、２人以上との間に通信プロトコルを確立している場合には、ＣＰＵ２０はその状態を検出して、マルチパーティが実行可能と判断した場合、通話モード変更アイコンとしてのマルチパーティ化アイコン５２を表示する。このマルチパーティ化アイコン５２は、例えば図２等において、「ＭＰ」と表示されるものであるが、切替通話の状態からマルチパーティの状態への通話モードの切り替えを容易に行うものである。
【００４５】
また、切替通話からマルチパーティへの通話モードの切替を行う時も、上述した選択枠５１を用いる。この場合、マルチパーティ化アイコン５２上に選択枠５１を位置させ、決定ボタン（特に図示しない）を押すことにより、切り替え通話の状態からマルチパーティ通話の状態へと、通話モードが切り替えられる。
【００４６】
また、通話相手の切り替えや切替通話モードからマルチパーティモードへのモード切替が為されると、この実施の形態では、図２（ｂ）や図４等に示すように、切り替えられた接続話者アイコン５０から矢印的な吹き出し５３が吹き出されているような表示を行うようにしている。この表示によって、選択枠５１の合わせられた接続話者アイコン５０に応じた通話相手名及びその電話番号を確実に把握することが可能となる。これと共に、選択枠５１が合わせられた接続話者アイコン５０の接続状態（通話中／保留中等）や、通話時間等を表示するようにすれば、これらの接続状態、及び通話時間等の把握も確実に行える。
【００４７】
なお、通話相手名や電話番号及び通話に関する時間情報は、当該通話の開始された時点で接続話者アイコン５０と対応づけてＲＡＭ４０内に記憶され、その接続状態はユーザによる通話相手の切り替え操作や、通話モードの切り替え操作がなされる度に、接続話者アイコン５０ごとに更新され記憶される。
【００４８】
ここで、上述の接続状態（通話中／保留中等）や通話時間の表示においては、選択枠５１を接続話者アイコン５０上に位置させるだけで表示させるようにしても構わない。また、決定ボタンを押すか、所定時間経過すれば、選択枠５１が合わせられている通話相手への通話の切替等を実行するようにしても構わない。
【００４９】
なお、このマルチパーティ化アイコン５２も、ＲＯＭ４３内であって上述した電話帳と別に記憶されている。また、かかるＲＯＭ４３内に記憶されているマルチパーティ化アイコン５２は、２人以上の通信相手と通信プロトコルが確立されると、モード変更アイコン表示手段としての表示プログラムが起動されて自動的にディスプレイ４２上に表示される。
【００５０】
また、マルチパーティ化アイコン５２に選択枠５１が合わせられた際には、上述したＲＡＭ４０に接続話者アイコン５０に対応づけて記憶された情報に基づき、通話相手名や電話番号や通話時間およびマルチパーティモードである事等を表示させる。
【００５１】
ここで、以下の説明においては、呼の確立手順について図４及び図５に基いて説明する。なお、以下の説明に対応する図面中においては、特定の動作を行ったときのディスプレイ４２の表示の様子を示している。また、以下の説明においては、特に呼を２つ以上保持できる、第３世代携帯電話機であるＷ−ＣＤＭＡ方式のＩＭＴ−２０００を念頭において説明する。
【００５２】
まず、最初の手順としては、図４（ａ）に示すように、ユーザがＡさんに発信する。そして、Ａさんとユーザとの間に呼が確立される。次に、図４（ｂ）に示すように、ユーザがＡさんと通話中の状態において、Ａさんとの呼を保留状態にする。
【００５３】
続いて、図４（ｃ）に示すように、保留状態のまま、メニュー表示を行い、電話帳を呼び出してディスプレイ４２上に表示させる。また、電話帳を呼び出さなくても、ユーザが独自に電話番号の入力を行っても構わない。そして、Ａさんを保留状態のまま、例えばＢさんを指定した後に発信する。すると、図５（ａ）に示すように、Ａさんとの呼を保留状態にしたまま、Ｂさんとの呼が確立されて、Ｂさんとの通話が開始される。
【００５４】
なお、このときに通信網側でＡさんの音声とＢさんの音声をミックスし、ユーザとの間で完全に同時通話を行うマルチパーティモードへの移行もできるようになるため、接続話者アイコン５０と共に「ＭＰ」のようなマルチパーティ化アイコン５２も表示させる。
【００５５】
ここで、上述したようなＡさん及びＢさんと呼がそれぞれ確立された状態で、通話モードの切替を行う具体例について、以下に説明する。まず、切替通話モードからマルチパーティモードへの変更の実際について、図６に基づいて説明する。この図６（ａ）においては、この携帯電話装置１０を使用するユーザはＡさんと通話状態にあるが、Ｂさんとは保留状態にある。このとき、ディスプレイ４２では、Ａさんを示す接続話者アイコン５０（この例ではコインのマーク）が選択枠５１によって選択されていて、しかも例えば点滅表示、網かけ或いは反転表示等の特有の表示が為されている。また、吹き出し５３は、Ａさんを示す接続話者アイコン５０から吹き出している状態を表示している。
【００５６】
ここで、図６（ｂ）に示すように、キー操作で後述するタイマ等のタイムアップ前に、選択枠５１をマルチパーティ化アイコン５２上に移動させる。すると、ディスプレイ４２上では、通話中であるＡさんの通話時間が表示されると共に、Ｂさんが保留中であることとその保留時間が表示される。また、その吹き出し５３は、マルチパーティ化アイコン５２から吹き出している状態を表示する。なお、Ａさんとの間で切替通話モードでの通話は継続しているため、Ａさんを示す接続話者アイコン５０は点滅表示や網かけ、反転表示等がなされたままである。
【００５７】
さらに、図６（ｂ）の状態から、決定ボタンでクリックしたり、一定時間が経過等すると、図６（ｃ）に示すようにマルチパーティモードに変更され、この携帯電話装置１０を使用するユーザは、Ａさん及びＢさん双方と同時通話可能な状態となる。このとき、マルチパーティ化アイコン５２には、点滅表示や網かけ、反転表示等が為され、Ａさんを示す接続話者アイコン５０の点滅表示、網かけや反転表示等は解除される。
【００５８】
また、マルチパーティモードから切替通話モードへの変更の実際について、図７に基づいて説明する。この図７（ａ）においては、この携帯電話装置１０を使用するユーザは、Ａさん及びＢさんと両方通話可能なマルチパーティモードにある状態を示している。このとき、ディスプレイ４２は、Ａさん及びＢさんとの夫々の通話時間を示している。また、選択枠５１は、マルチパーティ化アイコン５２を囲む状態となっていると共に、吹き出し５３は、このマルチパーティ化アイコン５２から吹き出しているような状態を表示する。
【００５９】
ここで、キー操作等によって図７（ｂ）に示すように、選択枠５１をＢさんを示す接続話者アイコン５０（この例では、犬のマーク）上に移動させる。すると、ディスプレイ４２上では、Ｂさんとの通話時間が表示される。また、吹き出し５３の先端は、Ｂさんを示す接続話者アイコン５０へ移動する。なお、マルチパーティモードは継続されているため、マルチパーティ化アイコン５２の点滅表示、網かけや反転表示等はなされたままである。
【００６０】
さらに、図７（ｂ）の状態（この状態ではまだマルチパーティモードである。）において、決定ボタンでクリックしたり、一定時間経過したりする等の操作を行うと、図７（ｃ）に示すように、切替通話モードへと切り替えられ、Ｂさんとのみ通話している状態となると共に、Ａさんとは保留状態となる。このとき、選択されたＢさんを示す接続話者アイコン５０（この例では、犬のマーク）には点滅表示や網かけ、反転表示等が為され、マルチパーティ化アイコン５２の反転表示、網かけや反転表示等は解除される。
【００６１】
また、切替通話モードにおいて、ＡさんからＢさんへと通話を切り替える場合について、図８に基いて説明する。この図８（ａ）においては、Ａさんとのみ通話している状態を示している。このとき、ディスプレイ４２上には、Ａさんとのみの通話時間が示されていると共に、その吹き出し５３は、Ａさんの接続話者アイコン５０から吹き出されている状態を表示する。また、Ａさんの接続話者アイコン５０（この例では、コインのマーク）には、点滅表示や網かけ、反転表示等が為される。
【００６２】
ここで、キー操作によって、図８（ｂ）に示すように、選択枠５１をＢさんを示す接続話者アイコン５０上に移動させる。すると、ディスプレイ４２上の表示が、Ｂさんの通話状態（保留状態）を表示すると共に、保留時間を表示する。また、吹き出し５３の先端は、Ｂさんを示す接続話者アイコン５０を指し示すこととなる。なお、Ａさんとの間で切替通話モードの通話は継続しているため、Ａさんを示す接続話者アイコン５０は点滅表示、網かけや反転表示等がなされたままである。
【００６３】
さらに、図８（ｂ）の状態において、決定ボタンでクリックしたり、一定時間経過したりする等の操作を行うと、図８（ｃ）に示すように、Ａさんとのみ通話している状態から、Ｂさんとのみ通話している状態へと切り替えられる。このとき、Ｂさんを示す接続話者アイコン５０には、点滅表示、網かけや反転表示等がなされ、Ａさんを示す接続話者アイコン５０の点滅表示、網かけや反転表示は解除される。このようにして、ＡさんからＢさんへの通話が切り替えられる。
【００６４】
以上が、通話モードの切替の具体例である。そして、通話を終了する場合には、例えばＡさんとの通話が済んでＡさんと終話する場合、このときの操作としては、Ａさんの方から終話する、若しくは切替通話モードにしてＡさんとの通話状態とし、その後に終話キー（図示しない）を押す。その結果、Ａさんの通話が終了し、残るＢさんの通話保留状態に強制的に移行する。そして、Ｂさんの保留状態を解除すれば、以後はＢさんとのみの通話となる。
【００６５】
このようにして、Ａさんとの通話を終了すると、図５（ｂ）に示すように、Ａさんを表示する接続話者アイコン５０がディスプレイ４２から消える。また、Ｂさんのみと呼を確立している状態となるため、「ＭＰ」等のマルチパーティ化アイコン５２もディスプレイ４２から消える。そして、以後はＢさんとのみの通話に移行する。
【００６６】
なお、ここでさらにユーザが別のＣさんに発信する場合には、上述の図４及び図５に基づく説明に準じる。すなわち、まずＢさんとの呼を保留状態としてからＣさんを指定して発信する。すると、Ｃさんとの間に呼が確立される。以後、ＢさんとＣさんとの間の通話モードの切り替えやＢさんとＣさんとの間の通話の切り替えは、上述したＡさんとＢさんとの間の場合と同様である。
【００６７】
以上のような携帯電話装置１０によれば、切替通話モードにおいては、現在通話中の相手、及び保留中の相手を、ディスプレイ４２を見るだけで容易に確認することが可能となる。しかも、接続話者アイコン５０により、現在通信プロトコルが確立されている相手が全てディスプレイ４２上に表示され、さらに相手毎に異なる接続話者アイコン５０がディスプレイ４２上に表示される。このため、ユーザは誰と接続しているか、また、通話者が誰であり、しかも誰を保留にしているかの認識を、即座に行うことが可能となる。
【００６８】
すなわち、接続話者アイコン５０を見ることにより、ユーザは直感的に全ての接続相手を把握可能となる。また、選択枠５１で囲まれた接続話者アイコン５０を見ることで、ユーザは直感的に通話中の相手を把握可能となる。
【００６９】
また、切替通話モードからマルチパーティモードへの通話モード変更は、マルチパーティ化アイコン５２に選択枠５１を位置させ、該マルチパーティ化アイコン５２を決定ボタン等でクリックするだけで行える。このため、従来のようにメニュー画面を呼び出したりする等の面倒な画面操作が発生せず、マルチパーティ化アイコン５２の選択のみという簡単な操作のみでマルチパーティモードへの変更が行える。
【００７０】
なお、マルチパーティモードから切替通話モードへの通話モード変更も同様に簡単に行え、切替通話を行いたい接続話者アイコン５０上に選択枠５１を位置させ、その後に決定ボタン等を押すだけで行える。
【００７１】
また、従来では同時に２人までしか接続できなかったが、仮に３人以上の相手と接続できるようになったとしても、本発明では１人以上の全ての通話相手をディスプレイ４２上に並べて表示することができる。それによって、より沢山の相手とマルチパーティや切り替え通話を容易に行うことができ、しかも通話状況を容易に把握することが可能となる。また、接続話者アイコン５０の表示を接続状態となってから表示するのではなく、かけたとき又はかかってきたときに即時にディスプレイ４２に表示するようにしても良い。
【００７２】
次に、切替通話モードにおける通話対象者の切り替え時のＣＰＵ２０が行う処理プログラムについて、図９のフローチャートに基いて説明する。なお、この図７は、Ａさんとの通話からＢさんへの通話に切り替える場合を示している。
【００７３】
現状は、Ａさんと通話中でＢさんは保留中である（ステップＳ１０１）。次に、ＣＰＵ２０は、対象話者切り替えボタンの押下検出や切替用のキー操作等の検出をする（ステップＳ１０２）。すると、ＣＰＵ２０は、選択枠５１を対象の接続話者アイコン５０上へ移動する（ステップＳ１０３）。そして、決定ボタンを押すか、タイマを起動させる（ステップＳ１０４）。タイマを用いる場合には、選択枠５１を他の接続話者アイコン５０上に移動させた場合に、移動の度にタイマを作動させる。そして、その移動開始から所定の時間が満了した場合でも、まだ移動させた接続話者アイコン５０上に選択枠５１が存する場合には、その接続話者アイコン５０によって特定される相手方との通話に切り替えられる。
【００７４】
すなわち、タイマが満了したか、若しくは決定ボタンが押し下げられたかを検出し（ステップＳ１０５）、当該条件を満足すると、ＣＰＵ２０はＡさんの接続話者アイコン５０に選択枠５１が存在するか否かを検出する（ステップＳ１０６）。そして、この判断が肯定的な場合には、Ａさんとの通話、及びＢさんとの保留状態を継続する（ステップＳ１０７）。
【００７５】
ＣＰＵ２０の判断が否定的な場合、携帯電話装置１０は通信網の基地局との間でプロトコルメッセージをやり取りする（ステップＳ１０８）。このメッセージは、例えば、まず携帯電話装置１０から基地局へＡさんとの通話を保留にしたい、との要求と、Ｂさんの保留を解除（通話状態とする）したい、との要求を行う。これに対して基地局は、各要求を受け入れた旨の返信を携帯電話装置１０に送信する。これによって、Ａさんとは保留となり、Ｂさんとの通話が可能となる（ステップＳ１０９）。
【００７６】
また、マルチパーティモードで通話中に他のものからさらに通話接続要求が来た場合、マルチパーティモードで受け入れることを可能にしても良いし、その新たな人は、切替通話モードでの受入としても良い。いずれにしても、接続状態となったとき、又は呼び出し状態の際に、接続話者アイコンデータベースから検索し、対応するアイコンをディスプレイ４２に表示させる。
【００７７】
なお、図９においては、ＡさんからＢさんへ通話を切り替える場合について説明しているが、切替通話モードとマルチパーティモードとの間で通話モードを切り替える場合にも、同様に決定ボタンやタイマを用いることができる。なお、マルチパーティモードの開始時のプロトコルメッセージのシーケンスは、マルチパーティ化要求を基地局に送信し、基地局から要求を受け入れる旨の返信によって切替通話モードからマルチパーティモードに切り替わる。逆の場合は、切替通話モード化要求を基地局に送信し、基地局から要求を受け入れる旨の返信が行われることによってなされる。
【００７８】
また、接続話者アイコン５０が登録されていない相手方との通話を行う場合や未登録者が切替通話モードやマルチパーティモードでの通話の際に含まれている場合、不明者を示す初期設定のマーク等を接続話者アイコン５０として用いたり、接続話者アイコン５０の代わりに「未登録」という文字を、該接続話者アイコン５０が映し出される部分に表示させても良い。また、吹き出し５３上の画面中に、「未登録者２名」等の表示をさせても良い。
【００７９】
また、電話帳に接続話者アイコン５０を対応づけて登録せずとも、単に「（１）」、「（２）」、「（３）」等と第１話者、第２話者、第３話者の判断がつくように、電話帳とは別に記憶しておき、通話を開始した順に話者毎の管理を行えるようにしても良い。また、マルチパーティモードの場合、特別なマルチパーティ化アイコン５２を設けず、携帯電話装置１０側の決定ボタン等によってマルチパーティモード化した場合に、全ての接続話者アイコン５０が選択枠５１によって囲まれ、点滅表示、網かけや反転表示等するようにしても良い。
【００８０】
なお、上述の発明では、接続話者アイコンがディスプレイで表示されるので、現在通話中の相手、及び保留中の相手又はマルチパーティを行っている相手を、ディスプレイを見るだけで容易に確認することが可能となる。しかも、現在通信プロトコルが確立されている相手がディスプレイ上に表示され、さらに相手毎に異なる接続話者アイコンがディスプレイ上に表示されるため、ユーザは接続話者が誰であり、しかも誰を保留にしているか等の認識を、即座に行うことが可能となる。また、切替通話モードとマルチパーティモードの間の通話モード変更も、通話モード変更アイコン上にモード変更アイコン選択手段を位置させ、その後に通話モード切替手段によって通話モードを容易に切り替えられる。このため、従来のようにメニュー画面を呼び出したりする等の面倒な画面操作が発生せず、簡単な操作のみで通話モード変更が行える。
【産業上の利用可能性】
【００８１】
本発明は、携帯電話に利用可能である。
【図面の簡単な説明】
【００８２】
【図１】本発明の一実施の形態に係る携帯電話装置の構成の概略を示す図である。
【図２】図１の携帯電話装置において、（ａ）は携帯電話装置の外観及び操作キーの様子を示す図であり、（ｂ）は携帯電話装置のディスプレイに表示される内容を示す図である。
【図３】図１の携帯電話装置において、接続話者アイコンの登録の様子を示す図である。
【図４】図１の携帯電話装置において、呼の確立手順について説明するものであり、（ａ）はＡさんとの呼を確立した様子を示す図、（ｂ）はＡさんを保留状態にした様子を示す図、（ｃ）は保留状態のまま電話帳を呼び出した様子を示す図である。
【図５】図１の携帯電話装置において、呼の確立手順及び通話終了について説明するものであり、（ａ）はＡさんを保留状態にしたままＢさんとの呼を確立した様子を示す図、（ｂ）はＡさんとの通話を終了してＢさんとのみの通話を行っている様子を示すものである。
【図６】図１の携帯電話装置において、切替通話モードからマルチパーティモードへの変更を行う様子を示す図である。
【図７】図１の携帯電話装置において、マルチパーティモードから切替通話モードへの変更を行う様子を示す図である。
【図８】図１の携帯電話装置において、切替通話モードにおいて、通話者を変更する時の様子を示す図である。
【図９】図１の携帯電話装置において、切替通話モードにおいて、通話者を変更する時のフローチャートを示すものである。
【図１０】従来のマルチパーティ通話の様子を示す概略図である。
【図１１】従来の切替通話の様子を示す概略図である。
【符号の説明】
【００８３】
１０…携帯電話装置
１１…操作パネル
１４…機能ボタン（接続話者切替手段、通話モード切替手段）
２０…ＣＰＵ
４０…ＲＡＭ
４２…ディスプレイ
４３…ＲＯＭ
５０…接続話者アイコン
５１…選択枠（接続話者アイコン選択手段、モード変更アイコン選択手段）
５２…マルチパーティ化アイコン（通話モード変更アイコン）
【図１】
2006157966.tif 000003
【図２】
2006157966.tif 000004
【図３】
2006157966.tif 000005
【図４】
2006157966.tif 000006
【図５】
2006157966.tif 000007
【図６】
2006157966.tif 000008
【図７】
2006157966.tif 000009
【図８】
2006157966.tif 000010
【図９】
2006157966.tif 000011
【図１０】
2006157966.tif 000012
【図１１】
2006157966.tif 000013